(57)【要約】【課題】施錠機構を有した扉付き畜舎において、動物の出し入れを容易にし、畜舎内部の動物が開錠できない構造であり、開口部に柱がない畜舎においても、容易に扉の施錠、開錠ができ、取付面積が小スペースである施錠機構を提供する。【解決手段】畜舎本体前面の上下に１次施錠部品を設け、畜舎本体前面の上下いずれかに水平軸線回りに回動自在な２次施錠部品と開錠部品を備え、垂直軸線回りに回動自在な扉には、上下に移動自在な上下移動部品を備え、上下移動部品には扉正面側から見て同垂直軸線上にならない位置に施錠用ピンを備え、扉が閉じる方向へ回転した際には、施錠用ピンが１次施錠部品によって１次施錠がなされると共に、施錠用ピンが開錠部品を回転させ、連動した２次施錠部品によって２次施錠がなされ、手で引くなどして２次施錠部品を回転させた際には、開錠部品が連動し、開錠されるように構成する。【選択図】図５
2010068791.tif 000002
【特許請求の範囲】
【請求項１】
畜舎本体と、この畜舎本体前面に開閉自在に取り付けられた扉において、この扉を施錠する施錠機構と、この扉を開錠する開錠機構を備え、前記扉のヒンジ部は垂直軸線回りに回動自在に取り付けられており、前記扉には、上下に移動自在に取り付けられた移動部品を備え、この移動部品には上下に一対の施錠用ピンを備え、前記畜舎本体前面の上下には、前記施錠用ピンにそれぞれ対応した１次施錠部品を備え、前記畜舎本体前面の上下いずれかに水平軸線回りに回動自在である２次施錠部品と、水平軸線回りに回動自在である開錠部品を備えており、手で押すなどして扉を閉める方向に、扉または扉に取り付けられた部品に外力が与えられる際には、扉が回転しその外力と、各部品に与えられる重力によって１次施錠がなされると共に、２次施錠部品が連動し２次施錠がなされ、手で引くなどして２次施錠部品を回転させることで開錠部品が連動し、１次施錠および２次施錠を開錠することが出来ることを特徴とする畜舎の扉錠機構。
【請求項２】
畜舎本体と、この畜舎本体前面に開閉自在に取り付けられた扉において、この扉を施錠する施錠機構と、この扉を開錠する開錠機構を備え、前記扉のヒンジ部は垂直軸線回りに回動自在に取り付けられており、前記扉には、上下に移動自在に取り付けられた移動部品を備え、この移動部品には上下に一対の施錠用ピンを備え、前記畜舎本体前面の上下には、前記施錠用ピンにそれぞれ対応した１次施錠部品を備え、前記畜舎本体前面の上下いずれかに水平軸線回りに回動自在である２次施錠部品と、水平軸線回りに回動自在である開錠部品を備えており、上下移動部品に取り付いている施錠用ピンは、上部に取り付いているものと、下部に取り付いているものが、扉正面側から見た際には同一垂直線上に重ならない位置に取り付けられており、前記畜舎を同じ向きで縦に重ねて設置した際、また前記畜舎を同じ向きで縦に重ねて設置して上下移動部品が上下移動をした際には、下側畜舎の上部施錠用ピンおよび上下移動部品と、上側畜舎の下部施錠用ピンおよび上下移動部品が衝突する事がないことを特徴とする畜舎の扉錠機構。
【請求項３】
開口部に柱が設置されていない畜舎本体と、この畜舎本体前面の左右に、観音開きに開閉自在に取り付けられた扉を備え、前記左右の扉にはそれぞれ対応した前記施錠機構を左右対称に備えたことを特徴とする請求項１，２いずれか１項に記載の畜舎の扉錠機構。
【発明の詳細な説明】
【技術分野】
【０００１】本発明は畜舎の扉錠機構に関する。
【背景技術】
【０００２】動物病院、ペット預かり所などにおいては、犬や猫等の動物を収容するステンレス製の畜舎が知られており、このような畜舎は、箱形の畜舎に開閉自在に取り付けられた扉を備え、この扉を施錠するための施錠機構を備えている。この種のものとしては、例えば下記の文献等に開示されている。
【特許文献１】特許公開平８−１４９９３６
【特許文献２】登録実用新案第３０７６１９３号
【特許文献３】実用新案公開平５−４６２６５
【０００３】この種の畜舎は動物を抱きかかえながら、動物の出し入れを行なう事も多く、扉の開閉、施錠および開錠が容易に行なえることが要求される。また、動物の中にも猫や猿のように手が器用な動物が、畜舎の内部から開錠してしまうおそれがあるため、動物には開錠できない必要もある。【０００４】ところで、畜舎には様々なサイズがあり、大きなサイズの畜舎においては、畜舎１台に対し、扉が観音開きに２枚取り付けられており、開口部中央には柱が設置され、その柱に扉の施錠機構が取り付けられている構造であった。【０００５】また、畜舎はスペースを有効利用するために、何段にも重ねて設置されることもあり、そうした際にも問題なく扉が施錠、開錠できることも要求される。
【発明の開示】
【発明が解決しようとする課題】
【０００６】前記、施錠機構を備え、柱が設置された畜舎においては、小型の動物を出し入れするには問題がないが、大型の動物を出し入れする際には、柱が邪魔になっていた。【０００７】また、この種の扉施錠機構は、施錠用のピンと、そのピンの前後移動を抑制する為の形状を有した固定部品とで成り立っており、扉を施錠する際には、施錠用ピンまたは固定部品が上下移動をすることで、施錠用ピンが固定部品の前後移動抑制部分にはまりこみ、扉の施錠が行なわれる構造となっていたため、垂直方向のスペースが必要となっていた。【０００８】また従来構造のまま、柱を取り払い、畜舎開口部の上下に施錠機構を取り付けたとしても、施錠用の上下移動部品が上下移動した際には、積み重ねられている畜舎の同様の部品と衝突してしまい、正常に施錠、開錠が行なわれない構造であった。【０００９】本発明は前記の従来技術が有する問題点を解決しようとするものであって、畜舎の動物の出し入れを容易にし、畜舎内部の動物には開錠できない構造でありながら、開口部に柱が設置されていない畜舎においても、扉の施錠、開錠を容易に行なうことができ、従来の施錠機構よりも垂直方向の取り付け面積を小さくし、畜舎が積み重ねられた際にも、変わらない機能を提供しようとするものである。
【課題を解決するための手段】
【００１０】上記目的を達成する為に、本発明に係わる畜舎の扉錠機構は、畜舎本体と、この畜舎本体前面に開閉自在に取り付けられた扉において、この扉を施錠する施錠機構と、この扉を開錠する開錠機構を備え、前記扉のヒンジ部は垂直軸線回りに回動自在に取り付けられており、前記扉には、上下に移動自在に取り付けられた移動部品を備え、この移動部品には上下に一対の施錠用ピンを備え、前記畜舎本体前面の上下には、前記施錠用ピンにそれぞれ対応した１次施錠部品を備え、前記畜舎本体前面の上下いずれかに水平軸線回りに回動自在である２次施錠部品と、水平軸線回りに回動自在である開錠部品を備えており、手で押すなどして扉を閉める方向に、扉または扉に取り付けられた部品に外力が与えられる際には、扉が回転しその外力と、各部品に与えられる重力によって１次施錠がなされると共に、２次施錠部品が連動し２次施錠がなされ、手で引くなどして２次施錠部品を回転させることで開錠部品が連動し、１次施錠および２次施錠を開錠することが出来ることを特徴とするものである。【００１１】また、本発明に係わる畜舎の扉錠機構は、畜舎本体と、この畜舎本体前面に開閉自在に取り付けられた扉において、この扉を施錠する施錠機構と、この扉を開錠する開錠機構を備え、前記扉のヒンジ部は垂直軸線回りに回動自在に取り付けられており、前記扉には、上下に移動自在に取り付けられた移動部品を備え、この移動部品には上下に一対の施錠用ピンを備え、前記畜舎本体前面の上下には、前記施錠用ピンにそれぞれ対応した１次施錠部品を備え、前記畜舎本体前面の上下いずれかに水平軸線回りに回動自在である２次施錠部品と、水平軸線回りに回動自在である開錠部品を備えており、上下移動部品に取り付いている施錠用ピンは、上部に取り付いているものと、下部に取り付いているものが、扉正面側から見た際には同一垂直線上に重ならない位置に取り付けられており、前記畜舎を同じ向きで縦に重ねて設置した際、また前記畜舎を同じ向きで縦に重ねて設置して上下移動部品が上下移動をした際には、下側畜舎の上部施錠用ピンおよび上下移動部品と、上側畜舎の下部施錠用ピンおよび上下移動部品が衝突する事がないことを特徴とするものである。【００１２】さらにまた、本発明に係わる畜舎の扉錠機構は、請求項１，２いずれか１項に記載の、開口部に柱が設置されていない畜舎本体と、この畜舎本体前面の左右に、観音開きに開閉自在に取り付けられた扉において、前記左右の扉にはそれぞれ対応した前記施錠機構を左右対称に備えたことを特徴とするものである。
【発明の効果】
【００１３】本発明によれば、畜舎の動物の出し入れを容易にし、畜舎内部の動物には開錠できない構造でありながら、開口部に柱が設置されていない畜舎においても、扉の施錠、開錠を容易に行なうことができ、従来の施錠機構よりも垂直方向の取り付け面積を小さくし、畜舎が積み重ねられた際にも、変わらない機能をそなえた畜舎の扉錠機構を得る事ができる。
【発明を実施するための最良の形態】
【００１４】以下、本発明の具体的な実施例について図面に基づいて説明する。
【実施例】
【００１５】図１は、本発明に係わる施錠機構を備えた扉を、観音開きに２枚取り付けた状態の、柱が設置されていない畜舎の全体斜視図を示している。【００１６】畜舎本体１には、ヒンジ部品２に垂直回転軸をもつ回動自在な扉１４と扉１５が取り付けられており、２枚の扉は左右対称形状となっており、扉の開閉、施錠機構等は同条件となっている。【００１７】図２は扉を取り付ける前の畜舎本体の斜視図を示している。上側１次施錠部品６と８は、取付部品５に固定され一体となっており、ヒンジ部品２、下側１次施錠部品３、取付部品５は畜舎本体１に対して、ねじなどによって取り付けられ、固定されている。【００１８】図３は上側１次施錠部品６および８に、２次施錠部品と開錠部品を取り付けた場合の、分解斜視図を示している。軸ピン２２は、開錠部品１３と２次施錠部品１１と座金２１の穴を通り、上側１次施錠部品８に固定されており、開錠部品１３と２次施錠部品１１と座金２１は、水平軸線回りに回動自在となっている。同様に左右対称形状となっている反対側も、軸ピン２２は開錠部品１２と２次施錠部品１０と座金２１の穴を通り、上側１次施錠部品６に固定されており、開錠部品１２と２次施錠部品１０と座金２１は、水平軸線回りに回動自在となっている。２次施錠部品と開錠部品は、上側１次施錠部品または下側１次施錠部品のいずれかに取り付けることで、施錠および開錠機能を果たす事が出来る。【００１９】図４は畜舎本体に取り付ける前の、右側の扉の斜視図である。扉１５には固定部品１７が上下に１個ずつ溶接などで動かないように固定されており、固定部品１７にはそれぞれ長方形の穴１７Ａが開いている。その穴を通るようにして上下移動部品１８が上下移動自在に取り付けられている。上下移動部品１８には施錠用ピン１９が上下に１個ずつ溶接などで動かないように固定されており、側面にはストッパー部品２０が溶接などで動かないように固定されている。【００２０】上下移動部品１８の下部は直角に２箇所曲がった部分１８Ａがあり、その曲げがあることによって、上下移動部品１８は下側の固定部品１７の長方形の穴１７Ａを一部分しか通らず、重力が与えられている状況下において、下方向へ落下せずに停止している。また、扉正面側から見た際には、上側の施錠用ピン１９と下側の施錠用ピン１９は異なる垂直軸線上に位置している。【００２１】さらに、上下移動部品１８またはそれに取り付いている部品に外力が加えられ、上方向に移動した際には、ストッパー部品２０は上側の固定部品の長方形の穴１７Ａを通らず、上への移動が抑制される。すなわち、上下移動部品１８の上下の移動距離、上限位置、下限位置は部品形状によって定められている。【００２２】図５の（Ａ）と（Ｂ）は、畜舎本体１に右側の扉１５が取り付いた状態の、施錠時および開錠時の側面図で、図５（Ａ）は扉が閉まり、１次施錠、２次施錠がなされている状態を示しており、図５（Ｂ）は１次施錠、２次施錠が開錠され、扉が若干開いている状態を示している。【００２３】上下移動部品１８に取り付いている施錠用ピン１９は、左右逆向きに取り付いているが、上下共に同形状となっている。上下の施錠用ピン１９は上下移動部品１８に取り付いて固定されている為、上下移動部品１８が上下移動した際にも、上下共に同じ動きとなる。また、扉側面側から見た際の施錠用ピン１９の中心軸は同垂直軸線上となっている。上側１次施錠部品８と下側１次施錠部品３の施錠部形状は同じになっており、扉側面側から見た際には、上側の施錠用ピン１９と上側１次施錠部品８の位置関係と、下側の施錠用ピン１９と下側１次施錠部品３の位置関係は同じとなっている。そのため、上側の施錠用ピン１９が移動し、上側１次施錠部品８に１次施錠される際には、下側の施錠用ピン１９も同様に移動し、下側１次施錠部品３に１次施錠されることとなり、上下反対の状況においても同様の動きとなる。【００２４】図６の（Ａ）、（Ｂ）、（Ｃ）、（Ｄ）は、畜舎本体１に取り付いた、扉１５またはそれに取り付いている部品に外力が加わり、扉が閉まる方向に回転した際に、１次施錠、２次施錠が行なわれる段階を示した側面図を表している。【００２５】図６（Ａ）は扉１５が少し開いた状態の図を示している。上下移動部品１８と施錠用ピン１９は、重力により最下位置で止まっており、２次施錠部品１１と開錠部品１３は１次施錠部品８の受け部分８Ａに当たり、図の位置で停止している。【００２６】図６（Ｂ）は、図６（Ａ）から扉１５が閉じる方向に回転した状態を表している。上下移動する施錠用ピン１９が、１次施錠部品８の斜面８Ｂを上がり、回動自在な開錠部品１３を上に押し上げている。【００２７】図６（Ｃ）は、図６（Ｂ）から扉１５が閉じる方向に回転した状態を表している。施錠用ピン１９は１次施錠部品８の斜面８Ｂを上がりきり、その隣にある溝８Ｃへ落下しているところであり、開錠部品１３は施錠用ピン１９に押されて回転し、開錠部品１３の曲げ部分１３Ａは２次施錠部品１１の端面１１Ａに当たり、連動して２次施錠部品１１も回転している。前記の通り、施錠用ピン１９は上下移動するが、１次施錠部品８や開錠部品１３を乗り越えないように、上限位置が定められている。【００２８】図６（Ｄ）は、図６（Ｃ）から扉１５が閉じる方向に回転し、１次施錠、２次施錠が行われたところを示している。施錠用ピン１９は重力によって落下し、１次施錠部品８の溝８Ｃへはまることで、施錠用ピン１９の前後運動が抑制され１次施錠が完了し、開錠部品１３に連動して回転してきた２次施錠部品１１が施錠用ピン１９の上へ落下し、施錠用ピン１９が２次施錠部品１１の溝部分にはまる事によって、施錠用ピン１９の上下運動が抑制され２次施錠が完了となる。【００２９】図７の（Ａ）、（Ｂ）、（Ｃ）、（Ｄ）は、畜舎本体１に取り付いた、１次施錠、２次施錠がなされている扉１５が、開錠される段階を示した側面図を表している。【００３０】図７（Ａ）は１次施錠、２次施錠がなされている状態を示している。施錠用ピン１９が１次施錠用部品８の溝８Ｃにはまり込み、施錠用ピン１９の前後移動が抑制されることで１次施錠がなされており、施錠用ピン１９の上に２次施錠用部品１１の溝部分が覆いかぶさっていることで、施錠用ピン１９の上下移動が抑制され、２次施錠がなされている。【００３１】図７（Ｂ）は２次施錠部品１１を手で引くなどして、軸ピン２２を中心に回転させた図を示している。２次施錠部品１１を持ち上げる事で２次施錠が開錠され、さらに回転していくと、２次施錠部品１１の端面１１Ａが開錠部品１３の曲げ部分１３Ａにぶつかり、開錠部品１３は２次施錠部品１１に連動して回転する。さらには開錠部品１３が施錠用ピン１９と接触して、施錠用ピン１９を持ち上げる。【００３２】図７（Ｃ）は、図７（Ｂ）よりさらに２次施錠部品１１が回転していった状態を示している。施錠用ピン１９は開錠部品１３に押し上げられる。施錠用ピン１９は前記の通り、開錠部品１３を乗り越えないように上限位置が定められている為、開錠部品１３に押し出され、１次施錠部品８の溝８Ｃから抜け出し、１次施錠も開錠される。さらには、押し出された施錠用ピン１９は１次施錠部品８の斜面８Ｂを滑り降りて、扉１５が開く。【００３３】図７（Ｄ）は、図７（Ｃ）よりさらに開錠部品１３が回転し、扉１５が開いた状態を示している。扉１５に開く方向へ力が加わった事で、扉１５が開き、施錠用ピン１９は１次施錠部品８の斜面８Ｂを滑りきり、２次施錠部品１１と開錠部品１３は重力によって、１次施錠部品８の受け部分８Ａに当たり停止している。扉の開閉が可能となり、施錠機構は図６（Ａ）で示した状態と同じ状態に戻る為、再び扉を閉めて施錠することが可能となる。【００３４】図８は下側１次施錠部品４に、２次施錠部品と開錠部品を取り付けた際の、分解斜視図を示している。軸ピン２２は、開錠部品１３と２次施錠部品１１と座金２１の穴を通り、下側１次施錠部品４に固定されており、開錠部品１３と２次施錠部品１１と座金２１は、水平軸線回りに回動自在となっている。同様に左右対称形状となっている反対側も、軸ピン２２は開錠部品１２と２次施錠部品１０と座金２１の穴を通り、下側１次施錠部品４に固定されており、開錠部品１２と２次施錠部品１０と座金２１は、水平軸線回りに回動自在となっている。【００３５】図８で示したように、下側に２次施錠部品１０および１１、開錠部品１３を取り付けたときも、上側に取り付けたときと同様の機能を果たす事が出来るようになっている。【００３６】図９は本発明を使用した畜舎を、同じ向きで縦に重ねた状態の正面図を示している。上下の畜舎の、奥行位置と左右の位置は同じとなっている。また、図９の上側の畜舎には下側に２次施錠部品と開錠部品が取り付いており、下側の畜舎には上側に２次施錠部品と開錠部品が取り付いているが、上下の畜舎の施錠機能は同じとなっている。【００３７】畜舎を重ねた場合においても、上下の扉１４および１５は、支障なく開閉することでき、各畜舎の上下の施錠用ピン１９は扉正面側から見た際に同垂直線上となっていないことで、上下移動部品１８が上下に移動した際にも衝突することなく、扉の施錠および、開錠を行なう事が出来る。【００３８】図１０は柱が設置されていない畜舎本体１に取り付いた扉１４と扉１５が、開いている状態の全体斜視図を示している。左右の扉が開いた際には、畜舎前面の開口部には障害物もなくなり、空間が開放されるため、動物の出し入れがしやすくなる。
【図面の簡単な説明】
【００３９】
【図１】本発明に係わる施錠機構を備えた扉を、観音開きに２枚取り付けた状態の、柱が設置されていない畜舎の全体斜視図である。
【図２】扉を取り付ける前の畜舎本体の斜視図を示している。
【図３】上側１次施錠部品に、２次施錠部品と開錠部品を取り付けた場合の、分解斜視図を示している。
【図４】畜舎本体に取り付ける前の、右側の扉の斜視図である
【図５】（Ａ）、（Ｂ）畜舎本体に右側の扉が取り付いた状態の、施錠時および開錠時の側面図である。
【図６】（Ａ）、（Ｂ）、（Ｃ）、（Ｄ）畜舎本体に取り付いた扉が、閉まる方向に回転した際に、１次施錠、２次施錠が行なわれる段階を示した側面図である。
【図７】（Ａ）、（Ｂ）、（Ｃ）、（Ｄ）畜舎本体に取り付いた、１次施錠、２次施錠がなされている扉が、開錠される段階を示した側面図である。
【図８】下側１次施錠部品に、２次施錠部品と開錠部品を取り付けた際の、分解斜視図を示している。
【図９】本発明を使用した畜舎を、同じ向きで縦に重ねた状態の正面図を示している。
【図１０】柱が設置されていない畜舎本体に取り付いた扉が、開いている状態の全体斜視図を示している。
【符号の説明】
【００４０】１  畜舎本体
２  ヒンジ部品
３、４  下側１次施錠部品
５  取付部品
６、８  上側１次施錠部品
８Ａ  上側１次施錠部品の受け部
８Ｂ  上側１次施錠部品の斜面
８Ｃ  上側１次施錠部品の溝
１０、１１  ２次施錠部品
１１Ａ  ２次施錠部品の端面
１２、１３  開錠部品
１３Ａ  開錠部品の曲げ部
１４、１５  扉
１７  固定部品
１７Ａ  固定部品の長方形穴
１８  上下移動部品
１８Ａ  上下移動部品の曲げ部
１９  施錠用ピン
２０  ストッパー部品
２１  座金
２２  軸ピン
【図１】
2010068791.tif 000003
【図２】
2010068791.tif 000004
【図３】
2010068791.tif 000005
【図４】
2010068791.tif 000006
【図５】
2010068791.tif 000007
【図６】
2010068791.tif 000008
【図７】
2010068791.tif 000009
【図８】
2010068791.tif 000010
【図９】
2010068791.tif 000011
【図１０】
2010068791.tif 000012